(57)【要約】【課題】下前と上前とをボタンによってとめる形式の衣服であって、該衣服の周囲の長さを調節できる衣服を提供する。【解決手段】下前と上前とのいずれか一方に着脱自在に取り付けられたボタンを、該下前と該上前とのいずれか他方に形成されたボタン穴に嵌入することで該下前と該上前とがとめられる衣服であって、該一方への該ボタンの取付位置を変えることで、該ボタンによってとめられる該下前と該上前との間の周囲の長さを変えられる、衣服。【選択図】図１
2005048329.tif 000002
【特許請求の範囲】
【請求項１】
下前と上前とのいずれか一方に着脱自在に取り付けられたボタンを、該下前と該上前とのいずれか他方に形成されたボタン穴に嵌入することで該下前と該上前とがとめられる衣服であって、
該一方への該ボタンの取付位置を変えることで、該ボタンによってとめられる該下前と該上前との間の周囲の長さを変えられる、衣服。
【請求項２】
前記ボタンが、前記一方に形成された貫通穴である取付穴に前記ボタンの一部が嵌入されることで前記一方に着脱自在に取り付けられるものであり、
該取付穴が、周方向に沿って少なくとも２以上形成されているものである、請求項１に記載の衣服。
【請求項３】
前記一方が前記下前であり、前記他方が前記上前である、請求項２に記載の衣服。
【請求項４】
前記周囲の長さが最も大きくなるように前記下前と前記上前とが前記ボタンによってとめられた際、前記２以上形成された取付穴のうち前記ボタンが嵌入されていない前記取付穴の少なくとも１が、前記上前によって隠されるものである、請求項３に記載の衣服。
【請求項５】
前記衣服が学生服の上着である、請求項１乃至４のいずれかに記載の衣服。
【発明の詳細な説明】
【技術分野】
【０００１】
本発明は、衣服に関し、より詳細には、下前と上前との間の周囲の長さを変えることができる衣服に関する。
【背景技術】
【０００２】
学生服の上着等のような衣服は、身体を覆うために広く用いられている。
しかしながら、従来の衣服は、それを着用する者の体型の変化（太ったり痩せたりすることによる場合、食事を摂ることによる場合等が例示できる。）に応じて周囲の長さが調節できないものが多く、衣服によって身体が締め付けられて苦しい状態（即ち、身体の周囲に比して、衣服の周囲が小さすぎる合）での着用を余儀なくさせられたり、衣服がだぶついた状態（即ち、身体の周囲に比して、衣服の周囲が大きすぎる場合）での着用をせざるを得ないことがしばしばあった。
また、中には、着用する者の身体の周囲に応じて、周囲の長さが調節可能な衣服も存したが（例えば、特許文献１参照）、下前と上前とをボタンによってとめる衣服ではなかった。
【０００３】
【特許文献１】特開２０００−１３６４０５号公報
【発明の開示】
【発明が解決しようとする課題】
【０００４】
そこで、本発明においては、下前と上前とをボタンによってとめる形式の衣服であって、該衣服の周囲の長さを調節できる衣服を提供することを目的とする。
【課題を解決するための手段】
【０００５】
本発明は、下前と上前とのいずれか一方に着脱自在に取り付けられたボタンを、該下前と該上前とのいずれか他方に形成されたボタン穴に嵌入することで該下前と該上前とがとめられる衣服であって、該一方への該ボタンの取付位置を変えることで、該ボタンによってとめられる該下前と該上前との間の周囲の長さを変えられる、衣服（以下、「本衣服」という。）である。
こうすることで、前記一方へのボタンの取付位置を変えることで、ボタンによってとめられる下前と上前との間の周囲の長さ（本衣服を着用した着用者の身体の周囲に沿った長さであって、ボタンが取り付けられた前記一方の位置から該ボタンが嵌入されたボタン穴までの長さをいう。）を変えられるので、本衣服の周囲の長さを調節することができる。
即ち、本衣服は、下前と上前とをボタンによってとめる形式の衣服であって、衣服の周囲の長さを調節できる衣服である。
【０００６】
前記ボタンが、前記一方に形成された貫通穴である取付穴に前記ボタンの一部が嵌入されることで前記一方に着脱自在に取り付けられるものであり、該取付穴が、周方向に沿って少なくとも２以上形成されているもの（以下、「取付穴式衣服」という。）であってもよい。
こうすることで、取付穴が、周方向（本衣服を着用した着用者の身体の周囲に沿った方向）に沿って複数（少なくとも２以上）形成するという簡単な構成によって、前記一方へのボタンの取付位置を変えて、ボタンによってとめられる下前と上前との間の周囲の長さを変えることにより、本衣服の周囲の長さを確実かつ容易に調節することができる。
【０００７】
取付穴式衣服の場合、前記一方が前記下前であり、前記他方が前記上前であってもよい（以下、「通常取付穴式衣服」という。）。
こうすることでボタンが下前に着脱自在に取り付けられ、ボタン穴が上前に形成されるので、本衣服が、一般的な衣服と同様の構造となり、着用する者も本衣服を見る者もいずれも違和感がない。
【０００８】
通常取付穴式衣服の場合、前記周囲の長さが最も大きくなるように前記下前と前記上前とが前記ボタンによってとめられた際、前記２以上形成された取付穴のうち前記ボタンが嵌入されていない前記取付穴の少なくとも１が、前記上前によって隠されるものであってもよい。
前記周囲の長さ（ボタンによってとめられる下前と上前との間の周囲の長さ）が最も大きくなるように下前と上前とがボタンによってとめられると、前記２以上形成された取付穴（ボタンが嵌入されていない取付穴）が上前によって覆われにくくなり、ボタンが嵌入されていない取付穴が見えることで本衣服の外観の趣をこわすおそれがある。このため上前が、ボタンが嵌入されていない取付穴の少なくとも１を覆い隠すようにして、ボタンが嵌入されていない取付穴が見えることを極力減らすことが好ましい。
無論、上前が、ボタンが嵌入されていない取付穴の全てを覆い隠すようにしてよいことは、言うまでもない。
【０００９】
前記衣服が学生服の上着であってもよい。
学生服の着用者は、通常、若年層であり、このような若い年齢においては体型の変化が大きい。このため学生服の上着は、とりわけ周囲の長さを調節することの必要性が大きく、かかる点から本衣服によって学生服の上着を構成することが好ましい。
【発明を実施するための最良の形態】
【００１０】
以下、本発明の実施の形態を図面を参照して説明する。しかしながら、これらによって本発明は何ら制限されるものではない。
【００１１】
図１は、一実施形態の本衣服１１を示す正面図（後述の右腕部１７及び左腕部１９の一部は図示を省略している。）であり、図２は、図１のＡ−Ａ断面図（後述のボタン３１ｄは断面を示していない。）である。ここでは本衣服１１は学生服（男子用）の上着（上半身に着用するもの）を構成している。
本衣服１１は、従来からの男子用学生服の上着と同様、図示しない着用者の胴体を覆う胴部１３と、該着用者の首を覆う胴部１３に取り付けられた襟部１５と、該着用者の右腕を覆う胴部１３に取り付けられた右腕部１７と、該着用者の左腕を覆う胴部１３に取り付けられた左腕部１９と、を備えている。
さらに、胴部１３は、縦（上下）方向に連続して分断された分断部２１ｓを有する略筒状に形成された胴部本体部２１と、胴部本体部２１の該着用者の左胸位置に形成された上ポケット２３と、胴部本体部２１の該着用者の腹部左位置に形成された腹部左ポケット２５と、胴部本体部２１の該着用者の腹部右位置に形成された腹部右ポケット２７と、を備えている。
【００１２】
胴部本体部２１は、縦（上下）方向に連続して分断された分断部２１ｓの両側に下前２１ａと上前２１ｂとを有している。これら下前２１ａと上前２１ｂとは、本衣服１１が着用された際に互いに重合する部分であり、具体的には、下前２１ａは内側（着用者の身体に近い位置）に位置し、上前２１ｂは下前２１ａの外側（着用者の身体から遠い位置）に重なる。
【００１３】
下前２１ａには、縦（上下）方向に沿ってボタン３１ａ、３１ｂ、３１ｃ、３１ｄ、３１ｅが取り付けられている。ボタン３１ａ、３１ｂ、３１ｃ、３１ｄ、３１ｅは、全て同じ構成を有しているので、図２を用いてボタン３１ｄについて説明する（他のボタン３１ａ、３１ｂ、３１ｃ、３１ｅも、ボタン３１ｄと同様の構成を有する。）。ボタン３１ｄは、ボタン本体３３ｄと、ボタン本体３３ｄに取り付けられたボタン脚部３５ｄと、ボタン脚部３５ｄに着脱自在に係合する抜け止め３７ｄと、を有している（ボタン本体３３ｄとボタン脚部３５ｄとはここでは金属製であり、抜け止め３７ｄはある程度の柔軟性を有する樹脂製である。）。ボタン脚部３５ｄは、下前２１ａに形成された貫通穴である第１取付穴４１ｄに嵌入されており、抜け止め３７ｄとボタン本体３３ｄとによって第１取付穴４１ｄから不意に抜け落ちないようになっている（抜け止め３７ｄとボタン本体３３ｄとはいずれも第１取付穴４１ｄを通過できないように形成されている。）。一方、抜け止め３７ｄは、ボタン脚部３５ｄに着脱自在に係合するものであり（抜け止め３７ｄを手で把持して力を加えることで、図２の状態から簡単にボタン脚部３５ｄから取り外したり、ボタン脚部３５ｄに図２のように簡単に取り付けることができる。）、抜け止め３７ｄをボタン脚部３５ｄから取り外した状態では、ボタン脚部３５ｄを第１取付穴４１ｄから抜き取ったり、ボタン脚部３５ｄを第１取付穴４１ｄに嵌入することを自由に行うことができる。なお、このような構造のボタンは、既に広く用いられている（特に、学生服の上着用）。
【００１４】
そして、下前２１ａには、図１に示されたボタン３１ａ、３１ｂ、３１ｃ、３１ｄ、３１ｅが取り付けられている第１取付穴（ボタン３１ａ、３１ｂ、３１ｃ、３１ｄ、３１ｅそれぞれについて形成されている。ここではボタン３１ｄ用の第１取付穴を、図２中、４１ｄとして示した。）とは別に、第２取付穴４３ａ、４３ｂ、４３ｃ、４３ｄ、４３ｅが貫通穴として形成されている（第２取付穴４３ａ、４３ｂ、４３ｃ、４３ｄ、４３ｅのいずれも、第１取付穴と同じ形状及び大きさを有している。）。なお、５個の第１取付穴はほぼ第１の直線（図示せず）に沿って形成されているが、第２取付穴４３ａ、４３ｂ、４３ｃ、４３ｄ、４３ｅは該第１の直線と平行な第２の直線（図示せず）に略沿って形成されている。そして、第２取付穴４３ａの位置から該第２の直線に対する垂線が該第１の直線と交わる位置に、ボタン３１ａが図１にて嵌入されている第１取付穴が略形成されており、第２取付穴４３ｂの位置から該第２の直線に対する垂線が該第１の直線と交わる位置に、ボタン３１ｂが図１にて嵌入されている第１取付穴が略形成されており、第２取付穴４３ｃの位置から該第２の直線に対する垂線が該第１の直線と交わる位置に、ボタン３１ｃが図１にて嵌入されている第１取付穴が略形成されており、第２取付穴４３ｄの位置から該第２の直線に対する垂線が該第１の直線と交わる位置に、ボタン３１ｄが図１にて嵌入されている第１取付穴（４１ｄ）が略形成されており、第２取付穴４３ｅの位置から該第２の直線に対する垂線が該第１の直線と交わる位置に、ボタン３１ｅが図１にて嵌入されている第１取付穴が略形成されている。
【００１５】
このように第１取付穴と第２取付穴４３ａ、４３ｂ、４３ｃ、４３ｄ、４３ｅとが形成されているので、ボタン３１ａ、３１ｂ、３１ｃ、３１ｄ、３１ｅは第１取付穴と第２取付穴４３ａ、４３ｂ、４３ｃ、４３ｄ、４３ｅとのいずれにも自由に取り付け、又はこれらから取り外すことができる（即ち、ボタン３１ａ、３１ｂ、３１ｃ、３１ｄ、３１ｅは、第１取付穴と第２取付穴４３ａ、４３ｂ、４３ｃ、４３ｄ、４３ｅとのいずれにも、位置を変更すること（付け替えること）ができる。）。
なお、参考のため、図３には、ボタン３１ｄを第２取付穴４３ｄに取り付けたところを示した（図３が示す断面は、図２のものと同じである。即ち、図２の状態から、抜け止め３７ｄをボタン脚部３５ｄから取り外した後、ボタン３１ｄを第１取付穴４１ｄから取り外し、その後、第２取付穴４３ｄにボタン３１ｄを嵌入し、抜け止め３７ｄをボタン脚部３５ｄに再び取り付けることで、ボタン３１ｄを第２取付穴４３ｄに取り付けたところを示している。）。図３に示したのと同様に、他のボタン３１ａ、３１ｂ、３１ｃ、３１ｅもそれぞれ第２取付穴４３ａ、４３ｂ、４３ｃ、４３ｅに自由に取り付けることができる。また、第２取付穴４３ａ、４３ｂ、４３ｃ、４３ｄ、４３ｅに取り付けられたボタン３１ａ、３１ｂ、３１ｃ、３１ｄ、３１ｅを、第１取付穴に取り付ける（付け替える）ことも自由に行うことができることは言うまでもない。
【００１６】
そして、上前２１ｂには、ボタン３１ａ、３１ｂ、３１ｃ、３１ｄ、３１ｅをそれぞれ嵌入するボタン穴６１ａ、６１ｂ、６１ｃ、６１ｄ、６１ｅが形成されている。ボタン穴６１ａ、６１ｂ、６１ｃ、６１ｄ、６１ｅは、第１取付穴に取り付けられたボタン３１ａ、３１ｂ、３１ｃ、３１ｄ、３１ｅと、第２取付穴４３ａ、４３ｂ、４３ｃ、４３ｄ、４３ｅに取り付けられたボタン３１ａ、３１ｂ、３１ｃ、３１ｄ、３１ｅと、のいずれも嵌入することができる。
ボタン３１ａ、３１ｂ、３１ｃ、３１ｄ、３１ｅをボタン穴６１ａ、６１ｂ、６１ｃ、６１ｄ、６１ｅに嵌入することで、下前２１ａと上前２１ｂとをとめることができる。
【００１７】
図４は、着用者が本衣服１１を着用した際の断面図（断面位置は、図２及び図３が示したＡ−Ａ断面を含む断面を示している。）であり、図５は図４の一部詳細図（図４中、矢印Ｂにより指された部分の詳細図）である。図４及び図５は、第１取付穴にボタン３１ａ、３１ｂ、３１ｃ、３１ｄ、３１ｅが取り付けられた状態を示している。そして、ボタン３１ａ、３１ｂ、３１ｃ、３１ｄ、３１ｅをボタン穴６１ａ、６１ｂ、６１ｃ、６１ｄ、６１ｅに嵌入することで、下前２１ａと上前２１ｂとをとめた状態を示している。
この状態では、ボタン３１ｄによってとめられる下前２１ａと上前２１ｂとの間の周囲の長さ（本衣服１１を着用した着用者の身体１０１の周囲（該着用者が水平面に真っ直ぐ起立した際の該着用者の脊椎がのびる方向に対する垂直面における断面にあらわれる周囲をいう。）に沿った長さ（胴部１３（胴部本体部２１）の長さ）であって、ボタン３１ｄが取り付けられた下前２１ａ（前記一方）の位置（ここでは第１取付穴４１ｄ（正確には、胴部１３（胴部本体部２１）に張力が加わった際、ボタン３１ｄが当接する第１取付穴４１ｄの部分４１ｄａ。図５参照。）からボタン３１ｄが嵌入されたボタン穴６１ｄ（正確には、胴部１３（胴部本体部２１）に張力が加わった際、ボタン３１ｄが当接するボタン穴６１ｄの部分６１ｄａ。図５参照。）までの長さをいう。）は、図４中、矢印Ｃに沿った胴部１３（胴部本体部２１）の長さをいう。
なお、ここではボタン３１ｄを示したが、他のボタン３１ａ、３１ｂ、３１ｃ、３１ｅもこれと同様の状態になっている。
【００１８】
図６は、着用者が本衣服１１を着用した際の断面図（断面位置は、図４と同じ断面を示している。）であり、図７は図６の一部詳細図（図６中、矢印Ｄにより指された部分の詳細図）である。図６及び図７は、第２取付穴４３ａ、４３ｂ、４３ｃ、４３ｄ、４３ｅにボタン３１ａ、３１ｂ、３１ｃ、３１ｄ、３１ｅが取り付けられた状態を示している。そして、ボタン３１ａ、３１ｂ、３１ｃ、３１ｄ、３１ｅをボタン穴６１ａ、６１ｂ、６１ｃ、６１ｄ、６１ｅに嵌入することで、下前２１ａと上前２１ｂとをとめた状態を示している。
この状態では、ボタン３１ｄによってとめられる下前２１ａと上前２１ｂとの間の周囲の長さ（本衣服１１を着用した着用者の身体１０１の周囲（該着用者が水平面に真っ直ぐ起立した際の該着用者の脊椎がのびる方向に対する垂直面における断面にあらわれる周囲をいう。）に沿った長さ（胴部１３（胴部本体部２１）の長さ）であって、ボタン３１ｄが取り付けられた下前２１ａ（前記一方）の位置（ここでは第２取付穴４３ｄ（正確には、胴部１３（胴部本体部２１）に張力が加わった際、ボタン３１ｄが当接する第２取付穴４３ｄの部分４３ｄａ。図７参照。）からボタン３１ｄが嵌入されたボタン穴６１ｄ（正確には、胴部１３（胴部本体部２１）に張力が加わった際、ボタン３１ｄが当接するボタン穴６１ｄの部分６１ｄａ。図７参照。）までの長さをいう。）は、図６中、矢印Ｅに沿った胴部１３（胴部本体部２１）の長さをいう。
なお、ここではボタン３１ｄを示したが、他のボタン３１ａ、３１ｂ、３１ｃ、３１ｅもこれと同様の状態になっている。
【００１９】
図４及び図５と、図６及び図７と、を用いて説明したように、本衣服１１は、ボタン３１ａ、３１ｂ、３１ｃ、３１ｄ、３１ｅを第１取付穴に取り付けるか、それとも第２取付穴４３ａ、４３ｂ、４３ｃ、４３ｄ、４３ｅに取り付けるか、によって、下前２１ａへのボタン３１ａ、３１ｂ、３１ｃ、３１ｄ、３１ｅの取付位置を変えることで、ボタン３１ａ、３１ｂ、３１ｃ、３１ｄ、３１ｅによってとめられる下前２１ａと上前２１ｂとの間の周囲の長さを変えることができる（図２中、矢印Ｇにて示した距離分だけ該長さを変えることができる。）。
【００２０】
以上説明したように、本衣服１１は、下前２１ａと上前２１ｂとのいずれか一方（ここでは下前２１ａ）に着脱自在に取り付けられたボタン３１ａ、３１ｂ、３１ｃ、３１ｄ、３１ｅを、下前２１ａと上前２１ｂとのいずれか他方（ここでは上前２１ｂ）に形成されたボタン穴６１ａ、６１ｂ、６１ｃ、６１ｄ、６１ｅに嵌入することで下前２１ａと上前２１ｂとがとめられる衣服であって、該一方（ここでは下前２１ａ）へのボタン３１ａ、３１ｂ、３１ｃ、３１ｄ、３１ｅの取付位置を変えることで、ボタン３１ａ、３１ｂ、３１ｃ、３１ｄ、３１ｅによってとめられる下前２１ａと上前２１ｂとの間の周囲の長さを変えられる、衣服である。
【００２１】
そして、本衣服１１は、ボタン３１ａ、３１ｂ、３１ｃ、３１ｄ、３１ｅが、前記一方（ここでは下前２１ａ）に形成された貫通穴である取付穴（第１取付穴及び第２取付穴４３ａ、４３ｂ、４３ｃ、４３ｄ、４３ｅ）にボタン３１ａ、３１ｂ、３１ｃ、３１ｄ、３１ｅの一部（ここではボタン脚部。ボタン３１ｄについては３５ｄとして図示した。）が嵌入されることで前記一方（ここでは下前２１ａ）に着脱自在に取り付けられるものであり、取付穴（第１取付穴及び第２取付穴４３ａ、４３ｂ、４３ｃ、４３ｄ、４３ｅ）が、周方向（本衣服１１を着用した着用者の身体１０１の周囲（該着用者が水平面に真っ直ぐ起立した際の該着用者の脊椎がのびる方向に対する垂直面における断面にあらわれる周囲をいう。）に沿った方向。即ち、図４及び図５においては矢印Ｃ方向であり、図６及び図７においては矢印Ｅ方向である。）に沿って少なくとも２以上（ここでは第１取付穴と第２取付穴４３ａ、４３ｂ、４３ｃ、４３ｄ、４３ｅとの２つ）形成されている。
また、ここでは前記一方が下前２１ａであり、前記他方が上前２１ｂである。
【００２２】
さらに、本衣服１１は、前記周囲の長さが最も大きくなるように下前２１ａと上前２１ｂとがボタン３１ａ、３１ｂ、３１ｃ、３１ｄ、３１ｅによってとめられた際（即ち、図４及び図５に示した状態）、前記２以上形成された取付穴（第１取付穴及び第２取付穴４３ａ、４３ｂ、４３ｃ、４３ｄ、４３ｅ）のうちボタン３１ａ、３１ｂ、３１ｃ、３１ｄ、３１ｅが嵌入されていない取付穴（ここでは第２取付穴４３ａ、４３ｂ、４３ｃ、４３ｄ、４３ｅ）の少なくとも１（ここでは第２取付穴４３ａ、４３ｂ、４３ｃ、４３ｄ、４３ｅ全部）が、上前２１ｂによって隠されている（覆われている。特に、図４及び図５を参照されたい。例えば、図５においては、第２取付穴４３ｄが上前２１ｂによって覆い隠されている。他の第２取付穴４３ａ、４３ｂ、４３ｃ、４３ｅも同様になっている。）。
そして、本衣服１１は、学生服の上着を構成している。
【図面の簡単な説明】
【００２３】
【図１】一実施形態の本衣服を示す正面図（一部省略）である。
【図２】図１のＡ−Ａ断面図である。
【図３】ボタン３１ｄを第２取付穴４３ｄに取り付けたところを示した断面図である。
【図４】着用者が本衣服を着用した際の断面図である。
【図５】図４の一部詳細図である。
【図６】着用者が本衣服を着用した際の断面図である。
【図７】図６の一部詳細図である。
【符号の説明】
【００２４】
１１        本衣服
１３        胴部
１５        襟部
１７        右腕部
１９        左腕部
２１        胴部本体部
２１ａ      下前
２１ｂ      上前
２１ｓ      分断部
２３        上ポケット
２５        腹部左ポケット
２７        腹部右ポケット
３１ａ、３１ｂ、３１ｃ、３１ｄ、３１ｅ  ボタン
３３ｄ      ボタン本体
３５ｄ      ボタン脚部
３７ｄ      抜け止め
４１ｄ      第１取付穴
４３ａ、４３ｂ、４３ｃ、４３ｄ、４３ｅ  第２取付穴
４３ｄａ    （第２取付穴の）部分
６１ａ、６１ｂ、６１ｃ、６１ｄ、６１ｅ  ボタン穴
１０１        着用者の身体
【図１】
2005048329.tif 000003
【図２】
2005048329.tif 000004
【図３】
2005048329.tif 000005
【図４】
2005048329.tif 000006
【図５】
2005048329.tif 000007
【図６】
2005048329.tif 000008
【図７】
2005048329.tif 000009